(57)【要約】【課題】ホログラムの再生像に対するスペックルの発生を軽減し、且つ、ホログラムを記録再生するためのシステムの簡素化を図り、該システムの小型化を可能にするホログラム再生装置を提供する。【解決手段】レーザ光を照射するレーザ照射部１を備え、物体１００のホログラムが記録された記録材料１０１に対して、上記レーザ照射部１からレーザ光を照射して、ホログラムを再生するホログラム再生装置であって、上記レーザ照射部１は、レーザ１１に供給する直流電流に、高周波電流を重畳する高周波重畳回路１２を有する。これにより、再生時にレーザ１１から記録材料１０１に向かって出射されるレーザ光の可干渉性を、シングルモードのレーザ光の可干渉性よりも低減させる。【選択図】  図１
2005062251.tif 000002
【特許請求の範囲】
【請求項１】
ホログラムが記録された記録材料の記録面に、レーザ光を再生参照光として照射し、ホログラムを再生するホログラム再生方法において、
上記レーザ光に、シングルモードのレーザ光に比べて可干渉性の低いレーザ光を使用することを特徴とするホログラム再生方法。
【請求項２】
上記レーザ光を照射するレーザ光源に供給する直流電流に、高周波電流を重畳することを特徴とする請求項１に記載のホログラム再生方法。
【請求項３】
上記レーザ光を照射するレーザ光源に、可視光を照射する自励発振型レーザ光源を使用することを特徴とする請求項１に記載のホログラム再生方法。
【請求項４】
上記記録材料にカラー画像のホログラムが記録されたとき、
上記記録材料の記録面に、赤、緑、青色の３本の上記レーザ光を照射することを特徴とする請求項１に記載のホログラム再生方法。
【請求項５】
上記記録材料にｎ（ｎは１以上の整数）コマ分の動画像のホログラムが記録されたとき、
上記記録材料の記録面に、上記レーザ光をコマ毎に順次照射することを特徴とする請求項１に記載のホログラム再生方法。
【請求項６】
レーザ光を照射するレーザ照射手段を備え、ホログラムが記録された記録材料の記録面に、上記レーザ照射手段からレーザ光を再生参照光として照射し、ホログラムを再生するホログラム再生装置において、
上記レーザ照射手段は、シングルモードのレーザ光に比べて可干渉性の低いレーザ光を照射することを特徴とするホログラム再生装置。
【請求項７】
上記レーザ照射手段は、レーザ光を照射するレーザ光源に供給する直流電流に、高周波電流を重畳する高周波重畳回路を備えていることを特徴とする請求項６に記載のホログラム再生装置。
【請求項８】
上記レーザ照射手段は、上記レーザ光を照射するレーザ光源として、可視光を照射する自励発振型レーザ光源を有していることを特徴とする請求項６に記載のホログラム再生装置。
【発明の詳細な説明】
【０００１】
【発明の属する技術分野】
本発明は、ホログラム再生方法及びホログラム再生装置に関し、特に、ホログラムが記録された記録材料に対して、レーザ光を再生参照光として照射し、ホログラムを再生するホログラム再生方法及びホログラム再生装置に関するものである。
【０００２】
【従来の技術】
ホログラム記録再生のしくみの一例について、図６を参照しながら以下に説明する。この図で示したホログラムは、リップマンホログラムと呼ばれるものである。
【０００３】
ホログラムを記録材料に記録する場合、記録材料の一方側から物体光を照射し、該記録材料の他方側から参照光を照射する。これにより、記録材料には、物体のホログラムに対応した干渉縞が記録される。
【０００４】
また、記録材料に記録されたホログラムを再生する場合、記録材料の干渉縞の記録面側にホログラムの再生照明光を、記録時の参照光と同一波長で同一方向から照射すると元の物体の位置に虚像としてホログラムが再生される。
【０００５】
続いて、一般的なホログラム記録再生機構について、図７を参照しながら以下に説明する。
【０００６】
始めに、レーザから出射した光は、ビームスプリッタ（ＢＳ）で２方向に分配される。
【０００７】
分配された一方の光は、ミラー（Ｍ２）で反射された後、対物レンズで拡大され、物体（Ｏ）に照射される。照射された光は、物体表面の各点で反射し、記録材料（Ｈ１）に入射する。これを物体光と称する。
【０００８】
分配された他方の光は、ミラー（Ｍ１）で反射された後、対物レンズで拡大され、さらにコリメートレンズ（ＣＬ１）で並行光に収束され、記録材料（Ｈ１）に入射する。これを参照光と称する。
【０００９】
従って、記録材料（Ｈ１）には、二つの光（物体光と参照光）が重ねて記録（露光）される。このとき、記録材料の記録部分で光の干渉が発生し、記録材料には干渉縞として記録される。この干渉縞は、１ミリメートル当たり、数千本の密度である。こうして露光された記録材料を現像処理したものがホログラムである。
【００１０】
ところで、レーザ光のような可干渉性の高い光でホログラムを再生すると、スペックルパターンが発生する為、再生像の品位低下を招く問題が有る。具体的には、再生像にギラつき感が有り、不快感を与える。なお、スペックルパターンとは、粗面に可干渉性の高いレーザ光を照射すると、物体表面の凹凸によって光が干渉しあい、光強度の分布が一様で無くなる現象をいう。
【００１１】
そこで、特許文献１には、レーザ光源からの光束を、光束の断面内各部における位相がランダムとなるように位相変調させる位相変調素子により空間コヒーレンスを下げて、再生参照光として使用し、ホログラムの再生像に対するスペックルの発生を防止する技術が開示されている。
【００１２】
【特許文献１】
特開平７−７７９２４号公報（１９９５年３月２０日公開）
【００１３】
【特許文献２】
特開平６−４５６８３号公報（１９９４年２月１８日公開）
【００１４】
【発明が解決しようとする課題】
ところで、スペックルパターンの軽減のために、レーザ光源の光束の位相変調を行なうのは、ホログラムの再生時のみであり、ホログラムの記録時には行なわない。
【００１５】
従って、特許文献１のように、レーザ光源の光束の位相変調を行なうために設けられた位相変調素子は、ホログラムの記録時に、レーザ光源からの光束に影響を与えないように、レーザ光源と記録材料との間の光路から外れた位置に移動させる必要がある。このため、位相変調素子を移動させる移動手段を別途設ける必要があるので、ホログラムを記録再生するためのシステムが複雑化し、システムの小型化を困難にするという問題が生じる。
【００１６】
本発明は、上記の課題を鑑みなされたものであって、その目的は、ホログラムの再生像の品位を向上させると共に、ホログラムを記録再生するためのシステムの小型化を可能にするホログラム再生方法及びホログラム再生装置を提供することにある。
【００１７】
【課題を解決するための手段】
本発明のホログラム再生方法は、上記の課題を解決するために、ホログラムが記録された記録材料の記録面に、レーザ光を再生参照光として照射し、ホログラムを再生するホログラム再生方法において、上記レーザ光に、シングルモードのレーザ光に比べて可干渉性の低いレーザ光を使用することを特徴としている。
【００１８】
上記の構成によれば、レーザ光に、シングルモードのレーザ光に比べて可干渉性の低いレーザ光を使用することで、シングルモードのレーザ光でホログラムを再生した場合に比べて、ホログラムの再生像に対するスペックルパターンを軽減することができる。
【００１９】
これにより、ホログラムの再生像の品位向上を図ることができる。
【００２０】
ここで、ホログラムの再生像のスペックパターンを軽減するためには、レーザ光源から照射されるレーザ光の可干渉性を、シングルモードの可干渉性を１とした場合、概ね０．９に低減させればよい。
【００２１】
上記レーザ光の可干渉性を低減させるためには、例えば、レーザ光を照射するレーザ光源に供給する直流電流に、高周波電流を重畳することが考えられる。
【００２２】
この場合、レーザ光源から出射されるレーザ光自体が、シングルモードのレーザ光の可干渉性よりも低いレーザ光（スペックルパターンを軽減するためのレーザ光）となっているので、従来のように、レーザ光源から出射されたレーザ光に対して外部手段（位相変調素子等）により位相変調し、スペックルパターンを軽減させる場合に比べて、ホログラムを再生するためのシステムの簡素化を図ることができ、この結果、該システムの小型化を可能にする。
【００２３】
また、レーザ光の可干渉性を低減させるためには、レーザ光を照射するレーザ光源に、可視光を照射する自励発振型レーザ光源を使用することも考えられる。
【００２４】
この場合においても、レーザ光源から出射されるレーザ光自体が、シングルモードのレーザ光の可干渉性よりも低いレーザ光（スペックルパターンを軽減するためのレーザ光）となっているので、従来のように、レーザ光源から出射されたレーザ光に対して外部手段（位相変調素子等）により位相変調し、スペックルパターンを軽減させる場合に比べて、ホログラムを再生するためのシステムの簡素化を図ることができ、この結果、該システムの小型化を可能にする。
【００２５】
また、上記記録材料にカラー画像のホログラムが記録されたときには、シングルモードのレーザ光に比べて可干渉性の低い、赤、緑、青色のレーザ光を使用すればよい。
【００２６】
この場合、カラー画像のホログラムの再生像に対するスペックルパターンが軽減されるので、カラー画像のホログラムの再生像の品位を向上させることができる。
【００２７】
上記記録材料にｎ（ｎは１以上の整数）コマ分の動画像のホログラムが記録されたときには、上記記録材料の記録面に、シングルモードのレーザ光に比べて可干渉性の低いレーザ光をコマ毎に順次照射するようにすればよい。
【００２８】
この場合、動画像のホログラムの再生像に対するスペックルパターンが軽減されているので、動画像のホログラムの再生像の品位を向上させることができる。
【００２９】
本発明のホログラム再生装置は、上記の課題を解決するために、レーザ光を照射するレーザ照射手段を備え、ホログラムが記録された記録材料の記録面に、上記レーザ照射手段からレーザ光を再生参照光として照射し、ホログラムを再生するホログラム再生装置において、上記レーザ照射手段は、シングルモードのレーザ光に比べて可干渉性の低いレーザ光を照射することを特徴としている。
【００３０】
上記の構成によれば、レーザ照射手段は、シングルモードのレーザ光に比べて可干渉性の低いレーザ光を照射するようになっているので、再生時にレーザ照射手段から出射されるレーザ光の可干渉性は、シングルモードのレーザ光の可干渉性よりも低くなっている。
【００３１】
これにより、シングルモードのレーザ光を再生参照光として使用した場合の再生像に比べて、スペックルパターンを軽減することができ、この結果、ホログラムの再生像の品位を向上させることができる。
【００３２】
しかも、スペックルパターンの軽減のために、レーザ照射手段自身が、シングルモードのレーザ光に比べて可干渉性の低いレーザ光を照射するようになっているので、従来のように、レーザ光源から照射されたレーザ光に対して、位相変調を行なってスペックルパターンを軽減する場合のように、レーザ光源と記録材料との間の光路上に位相変調素子を別途配置する必要がなくなる。
【００３３】
しかも、位相変調素子等のレーザ光源と記録材料との間の光路上に配置される別部材を設ける必要がないので、ホログラムを再生するためのシステムの簡素化を可能にし、その結果、システムの小型化を可能にすることができる。
【００３４】
シングルモードのレーザ光に比べて可干渉性の低いレーザ光を照射する構成として、以下のような構成が考えられる。
【００３５】
すなわち、上記レーザ照射手段は、レーザ光を照射するレーザ光源に供給する直流電流に、高周波電流を重畳する高周波重畳回路を備えていてもよい。
【００３６】
この場合、レーザ光源から可干渉性がシングルモードのレーザ光の可干渉性よりも低いレーザ光を出射することができるので、レーザ光源から出射されたレーザ光に対して外部手段（位相変調素子等）により可干渉性を低減させる場合に比べて、ホログラムを再生するためのシステムの簡素化を図ることができる。
【００３７】
また、上記レーザ照射手段は、上記レーザ光を照射するレーザ光源として、可視光を照射する自励発振型レーザ光源を有してもよい。
【００３８】
この場合においても、レーザ光源から出射されるレーザ光自体が、シングルモードのレーザ光の可干渉性よりも低いレーザ光（スペックルパターンを軽減するためのレーザ光）となっているので、従来のように、レーザ光源から出射されたレーザ光に対して外部手段（位相変調素子等）により位相変調し、スペックルパターンを軽減させる場合に比べて、ホログラムを再生するためのシステムの簡素化を図ることができ、この結果、該システムの小型化を可能にする。
【００３９】
【発明の実施の形態】
本発明の一実施の形態について説明すれば、以下の通りである。
【００４０】
本実施の形態に係るホログラム再生装置は、図１に示すように、レーザ光を照射するレーザ照射手段としてのレーザ照射部１と、該レーザ照射部１から照射されたレーザ光を拡大する対物レンズユニット２とを有し、該対物レンズユニット２によって拡大されたレーザ光を再生参照光として記録材料１０１に照射し、該記録材料１０１に記録された物体１００のホログラムを再生するようになっている。
【００４１】
上記レーザ照射部１は、レーザ光源としてのレーザダイオード（以下、レーザと称する）１１、高周波重畳回路（可干渉性低減回路）１２、直流電源１３を備えており、該直流電源１３から供給されるレーザ駆動用電流を、高周波重畳回路１２を通して、該レーザ１１に供給するようになっている。
【００４２】
上記高周波重畳回路１２は、レーザ１１の発振モードをシングルモードからマルチモード化するために、直流電源１３からのレーザ駆動電流に数百ＭＨｚの高周波電流を重畳するようになっている。これにより、レーザ１１から出射されるレーザ光は、シングルモードのレーザ光に比べて可干渉性の低いレーザ光となる。
【００４３】
上記高周波重畳回路１２によって高周波電流が重畳されたレーザ駆動用の電流をレーザ１１に供給したところ、一例として、周波数が、４００〜４５０ＭＨｚ、変調度が、中心波長で９０％程度のレーザ光をレーザ１１から出射することができる。このレーザ光は、シングルモードのレーザ光源から出射されるレーザ光に比較して可干渉性が低い為、再生参照光として利用すれば、スペックルパターンが軽減出来、ホログラムの再生像の品位を向上することができるという効果を奏する。
【００４４】
上記レーザ光の可干渉性は、シングルモードのレーザ光の可干渉性を１としたときに概ね０．９まで低減させれば、ホログラムの再生像のスペックルパターンを軽減することができる。
【００４５】
なお、本実施の形態にかかるホログラム再生装置は、ホログラム記録再生装置に適用することも可能である。この場合、ホログラムの記録時には、干渉縞の記録が目的であるので、直流電源１３からのレーザ駆動電流に対して高周波電流を重畳しないように、高周波重畳回路１２を駆動制御するようにすればよい。例えば、高周波重畳回路１２内にスイッチング素子（トランジスタ等）を設け、ホログラムの再生時には、該スイッチング素子をＯＮ状態にし、レーザ駆動電流に高周波電流を重畳するようにし、ホログラムの記録時には、該スイッチング素子をＯＦＦ状態にし、レーザ駆動電流をそのままレーザ１１に供給するようにする。
【００４６】
このように、本発明のホログラム再生装置をホログラム記録再生装置に使用した場合、高周波重畳回路１２内のスイッチング素子のＯＮ／ＯＦＦの切替だけでホログラムの再生時と記録時とを切り替えることができる。これにより、従来のように、ホログラムの再生時と記録時とを切り替えるために、位相変調素子を移動させる移動手段等の可動部を設ける必要がないので、ホログラムの記録再生を行なうシステムの構成の簡素化を可能にし、さらに、可動部の存在に起因する信頼性の低下を防止することができる。
【００４７】
しかも、従来のように、位相変調素子をレーザ光源と記録材料との間の光路上に配置しなくてもよいので、ホログラムの記録再生を行なうシステムの小型化を図ることができる。
【００４８】
上記高周波重畳回路１２は、例えば、図２に示すように、ＡＰＣドライバ２１、ＥＭＣフィルタ２２、発振回路２３、整合回路２４を備えることによって、直流電源１３からのレーザ駆動電流に対して高周波電流を重畳するようになっている。
【００４９】
ここでは、シングルモードのレーザ光の可干渉性を１としたときに、レーザ１１から出射されるレーザ光の可干渉性を概ね０．９になるように高周波電流を調整して、レーザ駆動電流に重畳させている。
【００５０】
なお、高周波電流の周波数等の種々のパラメータを調整することで、レーザ１１から出射されるレーザ光の可干渉性の低減の割合を制御することができる。
【００５１】
また、レーザ１１から出射されるレーザ光の可干渉性を低減させる方法として、上記では、レーザ１１を駆動するレーザ駆動電流に高周波電流を重畳する方法を採用しているが、これに限定されるものではなく、レーザ光の可干渉性を低減できる方法であれば、何れの方法を採用してもよい。
【００５２】
例えば、レーザ照射手段として、可視光（例えば、赤色（波長６５４ｎｍ））のレーザ光を照射する自励発振型レーザを使用してもよい。
【００５３】
自励発振型レーザは、例えば、図３に示すように、ＡＰＣドライバ２１のみを有する構成となっている。このため、図２に示す高周波重畳回路１２の場合よりも、レーザ照射部１を簡素な構成にすることができる。
【００５４】
例えば、上記自励発振型レーザに使用するレーザダイオードとしては、特開平６−４５６８３号公報（１９９４年２月１８日公開）に開示されている半導体レーザ素子が好適に用いることができる。
【００５５】
このように、上述した自励発振型レーザから照射されるレーザ光を再生参照光として利用しても、ホログラムの再生像のスペックルパターンを軽減することができ、再生像の品位を向上させることができる。
【００５６】
上記の説明では、ホログラム画像の色については規定していないが、本発明はカラーのホログラムが記録材料に記録された場合について適用可能である。
【００５７】
カラーのホログラム記録再生について、図４を参照しながら以下に説明する。図４は、ホログラムの記録再生を模式的に示した図である。
【００５８】
ホログラムの記録時には、加法混色によってカラー画像を記録材料に記録する。すなわち、赤色用のレーザ照射部３１Ｒ、緑色用のレーザ照射部３１Ｇ、青色用のレーザ照射部３１Ｂのそれぞれから出射される、赤、緑、青の３本のレーザ光でそれぞれの成分のホログラムを１枚の記録材料に記録する。
【００５９】
ホログラムの再生時には、記録時と同じ３本のレーザ光で再生することで、それぞれの成分の像が重なり、カラーのホログラムとして再生される。
【００６０】
ここで、レーザ照射部３１Ｒ、３１Ｇ、３１Ｂを、図１に示すレーザ照射部１と同じ構成にすることで、ホログラム再生時において、スペックルパターンを軽減でき、再生像の品位を向上させることができる。
【００６１】
また、記録材料に、ホログラムの動画が記録された場合であっても、本発明を適用することで、再生像（動画）の品位を向上させることができる。
【００６２】
ホログラムの動画記録再生について、図５を参照しながら以下に説明する。図５は、ホログラムの動作記録再生システムを模式的に示した図である。
【００６３】
上記システムは、原画を表示するＬＣＤパネルと記録材との間にスリットが設けられた構造となっている。
【００６４】
上記ＬＣＤパネルには、原画である物体を記録するためのｎ台のカメラが並列に接続されている。これらカメラは、原画のｎコマ分を記録するためのものであり、スイッチング素子により順次切り替えられ、ＬＣＤパネルに１コマ分ずつの原画を転送するようになっている。これにより、ＬＣＤパネルには、ｎコマ分を１画面とする原画が表示される。
【００６５】
上記スリットは、ＬＣＤパネルと記録材料との間を、ｎコマ分、原画に同期して移動するようになっており、該スリットを通過した物体光により、記録材に、１画面分ずつ記録する。このとき、同時に、記録材料には、参照光が照射される。
【００６６】
上記記録材料では、ｎコマ分の画像を縦長短冊状にホログラフィック記録し、１画面分としている。
【００６７】
このようにして、ｎコマ分のホログラム画像が記録された記録材料に対して、図１に示すようなホログラム再生装置を用いて、レーザ光を再生参照光として照射すれば、スペックルパターンが軽減されたホログラム動画像を再生することができる。
【００６８】
本発明は上述した実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００６９】
【発明の効果】
本発明のホログラム再生方法は、以上のように、ホログラムが記録された記録材料の記録面に、レーザ光を再生参照光として照射し、ホログラムを再生するホログラム再生方法において、上記レーザ光に、シングルモードのレーザ光に比べて可干渉性の低いレーザ光を使用する構成である。
【００７０】
それゆえ、レーザ光に、シングルモードのレーザ光に比べて可干渉性の低いレーザ光を使用することで、シングルモードのレーザ光でホログラムを再生した場合に比べて、ホログラムの再生像に対するスペックルパターンを軽減することができる。
【００７１】
これにより、ホログラムの再生像の品位向上を図ることができるという効果を奏する。
【００７２】
上記レーザ光の可干渉性を低減させるためには、例えば、レーザ光を照射するレーザ光源に供給する直流電流に、高周波電流を重畳することが考えられる。
【００７３】
この場合、レーザ光源から出射されるレーザ光自体が、シングルモードのレーザ光の可干渉性よりも低いレーザ光（スペックルパターンを軽減するためのレーザ光）となっているので、従来のように、レーザ光源から出射されたレーザ光に対して外部手段（位相変調素子等）により位相変調し、スペックルパターンを軽減させる場合に比べて、ホログラムを再生するためのシステムの簡素化を図ることができ、この結果、該システムの小型化を可能にできるという効果を奏する。
【００７４】
また、レーザ光の可干渉性を低減させるためには、レーザ光を照射するレーザ光源に、可視光を照射する自励発振型レーザ光源を使用することも考えられる。
【００７５】
この場合においても、レーザ光源から出射されるレーザ光自体が、シングルモードのレーザ光の可干渉性よりも低いレーザ光（スペックルパターンを軽減するためのレーザ光）となっているので、従来のように、レーザ光源から出射されたレーザ光に対して外部手段（位相変調素子等）により位相変調し、スペックルパターンを軽減させる場合に比べて、ホログラムを再生するためのシステムの簡素化を図ることができ、この結果、該システムの小型化を可能にできるという効果を奏する。
【００７６】
また、上記記録材料にカラー画像のホログラムが記録されたときには、シングルモードのレーザ光に比べて可干渉性の低い、赤、緑、青色のレーザ光を使用すればよい。
【００７７】
この場合、カラー画像のホログラムの再生像に対するスペックルパターンが軽減されるので、カラー画像のホログラムの再生像の品位を向上させることができるという効果を奏する。
【００７８】
上記記録材料にｎ（ｎは１以上の整数）コマ分の動画像のホログラムが記録されたときには、上記記録材料の記録面に、シングルモードのレーザ光に比べて可干渉性の低いレーザ光をコマ毎に順次照射するようにすればよい。
【００７９】
この場合、動画像のホログラムの再生像に対するスペックルパターンが軽減されているので、動画像のホログラムの再生像の品位を向上させることができるという効果を奏する。
【００８０】
本発明のホログラム再生装置は、以上のように、レーザ光を照射するレーザ照射手段を備え、ホログラムが記録された記録材料の記録面に、上記レーザ照射手段からレーザ光を再生参照光として照射し、ホログラムを再生するホログラム再生装置において、上記レーザ照射手段は、シングルモードのレーザ光に比べて可干渉性の低いレーザ光を照射する構成である。
【００８１】
それゆえ、レーザ照射手段は、シングルモードのレーザ光に比べて可干渉性の低いレーザ光を照射するようになっているので、再生時にレーザ照射手段から出射されるレーザ光の可干渉性は、シングルモードのレーザ光の可干渉性よりも低くなっている。
【００８２】
これにより、シングルモードのレーザ光を再生参照光として使用した場合の再生像に比べて、スペックルパターンを軽減することができ、この結果、ホログラムの再生像の品位を向上させることができる。
【００８３】
しかも、スペックルパターンの軽減のために、レーザ照射手段自身が、シングルモードのレーザ光に比べて可干渉性の低いレーザ光を照射するようになっているので、従来のように、レーザ光源から照射されたレーザ光に対して、位相変調を行なってスペックルパターンを軽減する場合のように、レーザ光源と記録材料との間の光路上に位相変調素子を別途配置する必要がなくなる。
【００８４】
さらに、位相変調素子等のレーザ光源と記録材料との間の光路上に配置される別部材を設ける必要がないので、ホログラムを再生するためのシステムの簡素化を可能にし、その結果、システムの小型化を可能にすることができるという効果を奏する。
【００８５】
シングルモードのレーザ光に比べて可干渉性の低いレーザ光を照射する構成として、以下のような構成が考えられる。
【００８６】
すなわち、上記レーザ照射手段は、レーザ光を照射するレーザ光源に供給する直流電流に、高周波電流を重畳する高周波重畳回路を備えていてもよい。
【００８７】
この場合、レーザ光源から可干渉性がシングルモードのレーザ光の可干渉性よりも低いレーザ光を出射することができるので、レーザ光源から出射されたレーザ光に対して外部手段（位相変調素子等）により可干渉性を低減させる場合に比べて、ホログラムを再生するためのシステムの簡素化を図ることができるという効果を奏する。
【００８８】
また、上記レーザ照射手段は、上記レーザ光を照射するレーザ光源として、可視光を照射する自励発振型レーザ光源を有してもよい。
【００８９】
この場合においても、レーザ光源から出射されるレーザ光自体が、シングルモードのレーザ光の可干渉性よりも低いレーザ光（スペックルパターンを軽減するためのレーザ光）となっているので、従来のように、レーザ光源から出射されたレーザ光に対して外部手段（位相変調素子等）により位相変調し、スペックルパターンを軽減させる場合に比べて、ホログラムを再生するためのシステムの簡素化を図ることができ、この結果、該システムの小型化を可能にするという効果を奏する。
【図面の簡単な説明】
【図１】本発明のホログラム再生装置の概略構成図である。
【図２】高周波重畳回路の一例を示す概略ブロック図である。
【図３】自励発振型レーザの一例を示す概略ブロック図である。
【図４】カラー画像のホログラムの記録再生を説明する図である。
【図５】動画像のホログラムの記録再生を説明する図である。
【図６】リップマンホログラムの一例を示し、（ａ）はホログラムの記録時を示す図であり、（ｂ）はホログラムの再生時を示す図である。
【図７】一般的な、ホログラムの記録再生システムの概略構成図である。
【符号の説明】
１  レーザ照射部（レーザ照射手段）
２  対物レンズユニット
１１  レーザ（レーザ光源）
１２  高周波重畳回路（可干渉性低減回路）
１３  直流電源
２１  ＡＰＣドライバ
２２  ＥＭＣフィルタ
２３  発振回路
２４  整合回路
３１Ｂ  レーザ照射部（レーザ照射手段）
３１Ｇ  レーザ照射部（レーザ照射手段）
３１Ｒ  レーザ照射部（レーザ照射手段）
１００  物体
１０１  記録材料
【図１】
2005062251.tif 000003
【図２】
2005062251.tif 000004
【図３】
2005062251.tif 000005
【図４】
2005062251.tif 000006
【図５】
2005062251.tif 000007
【図６】
2005062251.tif 000008
【図７】
2005062251.tif 000009